(57)【要約】  【課題】  シート反転装置のコストアップを回避しつつ、バッファリング手段を設けて、バッファリング制御可能なシート反転装置および画像形成装置を提供する。  【解決手段】  シート反転装置を、シート反転手段の反転ローラ２および反転モータ４、シート排紙搬送手段の反転排紙ローラ３および反転排紙モータ５、シート入口案内手段のフラッパ６、反転排紙センサ９、反転入口センサ１０、シート排紙案内手段の逆流防止フラッパ１１を有して構成する。シートを反転させない場合ストレートパス８を経由し、反転させる場合反転パス７を経由して、フィニッシャ部５０に搬送する。シート排紙搬送手段による折り返し位置に向けた搬送タイミングを、シート反転手段の動作タイミングと同期させて、保持されているシートと後続のシートとを重ね合わせる。【選択図】        図１
2005335863.tif 000002
【特許請求の範囲】
【請求項１】
搬入されたシートの表裏を反転させて排紙するシート反転装置において、
上記搬入されたシートを折り返し位置に案内するシート入口案内手段と、
上記シートを上記折り返し位置から排紙方向に向けて案内するシート排紙案内手段と、
上記シート入口案内手段により案内される上記シートが上記折り返し位置まで搬送した後、上記シート排紙案内手段による案内可能な位置まで上記シートを搬送するシート反転手段と、
上記シート排紙案内手段により案内された上記シートを排紙方向に向けて搬送可能に構成されつつ所定の待機位置に保持可能に構成されているとともに、上記シートを上記折り返し位置に搬送可能に構成されたシート排紙搬送手段と、
上記シート排紙搬送手段による上記折り返し位置に向けた搬送タイミングを、上記シート反転手段の動作タイミングと同期させて、上記シート排紙搬送手段により保持されている上記シートと、後続に搬入されるシートとを重ね合わせ可能に構成されている
ことを特徴とするシート反転装置。
【請求項２】
搬入されたシートの表裏を反転させて排紙するシート反転装置において、
上記搬入されたシートを折り返し位置に案内するシート入口案内手段と、
上記シートを上記折り返し位置から排紙方向に向けて案内するシート排紙案内手段と、
上記シート入口案内手段により案内される上記シートが上記折り返し位置まで搬送した後、上記シート排紙案内手段による案内可能な位置まで上記シートを搬送するシート反転手段と、
上記シート排紙案内手段により案内された上記シートを排紙方向に向けて搬送可能に構成されつつ所定の待機位置に保持可能に構成されているとともに、上記シートを上記折り返し位置に搬送可能に構成されたシート排紙搬送手段と、
上記シート反転手段と、上記シート排紙搬送手段とを制御する制御手段と、を有し、
上記制御手段は、上記シート排紙搬送手段による上記折り返し位置に向けた搬送タイミングを、上記シート反転手段の動作タイミングと同期させて、上記シート排紙搬送手段により保持されている上記シートと、後続に搬入されるシートとを重ね合わせるよう制御することを特徴とするシート反転装置。
【請求項３】
シートに画像を形成する画像形成部と、
前記画像形成部により画像形成されたシートの表裏を反転させて排紙するシート反転装置と、
上記画像形成されたシートを折り返し位置に案内するシート入口案内手段と、
上記シートを上記折り返し位置から排紙方向に向けて案内するシート排紙案内手段と、
上記シート入口案内手段により案内される上記シートが上記折り返し位置まで搬送した後、上記シート排紙案内手段による案内可能な位置まで上記シートを搬送するシート反転手段と、
上記シート排紙案内手段により案内された上記シートを排紙方向に向けて搬送可能に構成されつつ所定の待機位置に保持可能に構成されているとともに、上記シートを上記折り返し位置に搬送可能に構成されたシート排紙搬送手段と、
上記シート反転手段と、上記シート排紙搬送手段とを制御する制御手段と、を有し、
上記制御手段は、上記シート排紙搬送手段による上記折り返し位置に向けた搬送タイミングを、上記シート反転手段の動作タイミングと同期させて、上記シート排紙搬送手段により保持されている上記シートと、後続に搬入されるシートとを重ね合わせるよう制御することを特徴とする画像形成装置。
【発明の詳細な説明】
【技術分野】
【０００１】
この発明は、シート反転装置および画像形成装置に関し、特に、画像形成装置により画像が形成された後に排出されたシートを反転させる、シート反転装置に適用して好適なものである。
【背景技術】
【０００２】
従来、シートを複数枚重ねて搬送するバッファリング手段は、フィニッシャなどのシート後処理装置が受け持っていた。
【０００３】
また、従来の標準的な複写機においては、本体内部にシート反転機能があり、排紙装置へシートを送り出す排紙口からは、画像形成面を下にした状態で排紙（ＦＤ排紙）されていた。このため、複写機に接続するシートの後処理装置は、複写機本体から送り込まれたシートを、反転せずにそのままシートの後処理を行っていた。
【０００４】
これに対して、標準的なプリンタにおいては、本体内に反転機能はなく、排紙装置へシートを送り出す排紙口からは、画像形成面を上にした状態で排紙（ＦＵ排紙）されていた。そのため、プリンタに接続するシートの後処理装置は、プリンタから送り込まれたシートを、シートの後処理装置内部で反転させた後、シートの後処理を行っていた。
【特許文献１】特開平９−０４８５４５号公報
【発明の開示】
【発明が解決しようとする課題】
【０００５】
しかしながら、上述の従来の画像形成装置には、次のような問題があった。
すなわち、上述したように、シートを複数枚重ねて搬送するバッファリング装置は、フィニッシャなどのシート後処理装置が受け持っている。そのため、シート後処理装置に、専用のバッファリング装置が設けられている。
【０００６】
そのため、種々の機能を有するフィニッシャなどのシート後処理装置が大型化してしまうという問題があり、さらに、このようなシート反転装置を設けるためのコストアップが回避困難であった。
【０００７】
したがって、この発明の目的は、シート反転装置のコストアップを回避しつつ、バッファリング手段を設けることができるシート反転装置および、これを備えた画像形成装置を提供することにある。
【課題を解決するための手段】
【０００８】
上記目的を達成するために、この発明は、
折り返し位置に給送されたシートを折り返し搬送するためのシート反転手段と、シートを排紙するためのシート排紙搬送手段とにより、シート排紙搬送手段による折り返し位置に向けた搬送タイミングを、シート反転手段の動作タイミングと同期させて、すでに搬入されて保持されているシートと、続けて搬入されるシートとを重ね合わせる
ことを特徴とするものである。
【０００９】
具体的には、この発明は、
搬入されたシートの表裏を反転させて排紙するシート反転装置において、
搬入されたシートを折り返し位置に案内するシート入口案内手段と、
シートを折り返し位置から排紙方向に向けて案内するシート排紙案内手段と、
シート入口案内手段により案内されるシートが折り返し位置まで搬送された後、シート排紙案内手段による案内可能な位置までシートを搬送するシート反転手段と、
シート排紙案内手段により案内されたシートを排紙方向に向けて搬送可能に構成されつつ所定の待機位置に保持可能に構成されているとともに、シートを折り返し位置に搬送可能に構成されたシート排紙搬送手段と、
シート排紙搬送手段による折り返し位置に向けた搬送タイミングを、シート反転手段の動作タイミングと同期させて、シート排紙搬送手段により保持されているシートと後続に搬入されるシートとを重ね合わせ可能に構成されている
ことを特徴とするものである。
【００１０】
この発明によれば、シート反転装置にシート排紙搬送手段による折り返し位置に向けた搬送タイミングを、シート反転手段の動作タイミングと同期させて、装置内に保持されているシートと、続けて搬入されたシートとを複数枚重ね合わせ可能に構成されていることにより、いわゆる複数枚のシートを重ね合わせるバッファリング手段を設けることができるので、従来のシート反転装置に比してコストを増加させることなくバッファリング手段を構成することが可能となる。そのため、シート後処理装置にバッファリング手段を設ける必要がなくなり、安価な構成でバッファリングを行うことが可能となる。
【発明の効果】
【００１１】
以上説明したように、この発明によれば、シート入口案内手段、シート排紙案内手段、シートが折り返し位置まで搬送された後にシートを搬送するシート反転手段およびシート排紙搬送手段を設け、シート排紙搬送手段による折り返し位置に向けた搬送タイミングを、シート反転手段の動作タイミングと同期させて、シート排紙搬送手段により保持されているシートと、続けて搬入されたシートとを重ね合わせ可能に構成されていることにより、シート反転装置に関するコストの増加を招くことなく、バッファリング手段を備えることができ、これにより、シート反転装置において、バッファリング制御を実行することが可能となる。
【発明を実施するための最良の形態】
【００１２】
以下、この発明の一実施形態について図面を参照しながら説明する。なお、以下の一実施形態の全図においては、同一または対応する部分には同一の符号を付す。
【００１３】
まず、この発明の一実施形態によるシート反転装置について説明する。図１に、この一実施形態によるシート反転装置およびフィニッシャ部の内部構成を示す。
【００１４】
図１に示すように、シート入口案内手段としてのフラッパ６は、シート上に画像を形成する画像形成部を備えた画像形成装置本体（図示せず）から排出される画像形成済みシートの表裏の反転動作を行うか否かを切り替えるためのものである。このフラッパ６は、入口フラッパソレノイド（図１中、図示せず）によって駆動される。
【００１５】
また、シート排紙搬送手段としての反転排紙ローラ３および反転排紙モータ５においては、反転排紙ローラ３が反転排紙モータ５により正逆転駆動されるように構成されている。
【００１６】
また、シート反転手段としての反転ローラ２および反転モータ４においては、反転モータ４の正逆転駆動によって、反転ローラ２が、画像形成装置本体から排出されたシートを反転させ、反転排紙ローラ３まで搬送させるように構成されている。
【００１７】
また、反転入口センサ１０は、プリズム式透過型センサから構成される。この反転入口センサ１０により、画像形成装置本体から排出されるシートの先端または後端が検知可能に構成されている。
【００１８】
また、反転排紙センサ９は、シート反転装置１からフィニッシャ部５０にシートを搬送する際、このシートを検知するためのセンサである。また、シート排紙案内手段としての逆流防止フラッパ１１においては、シート反転手段のシートの受け入れ時に、シートが逆流防止フラッパ１１を押しのけ、シートの後端が抜けた後に逆流防止フラッパ１１が自重により安定して、シートが逆流することなくシート反転手段から排紙方向にガイドされる形状を有している。
【００１９】
以上のように構成されたシート反転装置において、フィニッシャ部５０に搬送されるシートを反転させない場合、フラッパソレノイドの駆動によりストレートパス８が選択される。そして、受け取られたシートは反転排紙モータ５によって駆動される反転排紙ローラ３により搬送され、画像形成装置本体から排出されたシートは、反転されることなくフィニッシャ部５０に搬送される。
【００２０】
他方、フィニッシャ部５０に搬送されるシートを反転させる場合、フラッパソレノイドの駆動がオフされる。そのため、画像形成装置本体から排出されるシートは反転パス７を経由され、反転入口センサ１０により検知される。そして、画像形成装置本体から排出されたシートは、所定の時間の経過後、反転モータ４の正転駆動によって、回転する反転ローラ２により、シート後端が折り返し位置としての反転ポイントまで搬送され、逆転駆動により反転排紙ローラ３を介して、フィニッシャ部５０に搬送される。これにより、シートが反転される。
【００２１】
以上のように構成されたシート反転装置によるバッファリング動作について説明する。なお、この一実施形態においては、２枚重ねのバッファリング動作を例として説明するが、必ずしも２枚重ねに限定するものではなく、３枚以上のシートを重ねる場合にも、同様に動作するものである。図２〜図７に、バッファリング動作を順次示す。
【００２２】
まず、図２に示すように、１枚目のシートが画像形成装置から排出されて、シート反転装置１に搬入される。このシートは、フラッパ６および逆流防止フラッパ１１によって案内（ガイド）され、反転ローラ２の方向に搬送される。続いて、図３に示すように、この１枚目のシートは、反転ローラ２により反転ポイントまで搬送される。その直後、反転ローラ２が排紙方向に逆転動作される。
【００２３】
次に、図４に示すように、１枚目のシートは、反転ローラ２によって排紙方向に向けて搬送され、反転排紙ローラ３に受け渡される。１枚目のシートが受け渡された反転排紙ローラ３は、この段階で停止し、１枚目のシートは、図４に示す位置、すなわち待機位置に停止する。そして、この待機状態を、２枚目のシートが搬入されるまで維持する。
【００２４】
次に、図５に示すように、画像形成装置本体から２枚目のシートが排出され、シート反転装置１に搬入される。このとき、反転入口センサ１０により２枚目のシートが検知される。そして、この反転入口センサ１０による２枚目のシートの検知からから所定の時間経過後、反転排紙ローラ３を排紙方向とは逆方向に起動する。これにより、１枚目のシートが２枚目のシートと重ね合わされた状態で反転ローラ２の方向に搬送される。なお、図５に示す状態においては、２枚目のシートの位置が反転排紙ローラ３を起動する位置に相当する。
【００２５】
次に、図６に示すように、反転排紙ローラ３および反転ローラ２により、反転ポイントに向けて２枚合わせて搬送される。この状態で１枚目のシートと２枚目のシートとの２枚合わせが完了する。
【００２６】
その後、図７に示すように、重ね合わされた２枚のシートは、反転ローラ２および反転
排紙ローラ３により２枚合わせて排紙される。これにより、１枚目のシートと２枚目のシートとが、２枚合わせて、フィニッシャ部５０に搬送される。
【００２７】
以上のようにして、この一実施形態によるシート反転装置におけるバッファリング動作が実行される。３枚のシートを重ねる場合には、２枚のシートを重ね合わせた状態で待機位置に停止させ、３枚目のシートのシート反転装置１への搬入と同期させて反転排紙ローラ３を排紙方向とは逆方向に起動することにより、先行する２枚のシートと３枚目のシートを合わせ、その後反転・排紙を行う。以上のように、３枚以上のシートを重ねる場合は、必要回数バッファリング動作を繰り返し実行することにより、待機位置に停止させるシートの枚数を順次増加させ、次に画像形成装置本体から排出されるシートと合わせて反転・排紙を行う。
【００２８】
次に、上述のように動作するシート反転装置１を制御する制御部について説明する。図８に、この制御部の構成を示す。
【００２９】
図８に示すように、シート反転装置１の制御部は、中央処理装置（ＣＰＵ）２０、読出専用メモリ（ＲＯＭ）２１、書き換え可能メモリ（ＲＡＭ）２２および、シリアルインターフェース部２３を有して構成されている。
【００３０】
また、ＲＯＭ２１には、図９、図１０、図１１、図１２、図１３および図１４に示す制御手順に対応する制御プログラム等が記憶されている。
【００３１】
ＣＰＵ２０は、ＲＯＭ２１に格納された制御プログラムを読み出しながら各部の制御を行うための制御処理装置である。また、ＲＡＭ２２は、作業用データや入力データを格納するためのメモリである。
【００３２】
そして、ＣＰＵ２０が、これらのＲＯＭ２１およびＲＡＭ２２から供給された信号データや情報データに基づいて制御を行う。また、ＣＰＵ２０の入力ポートには、反転排紙センサ９および反転入口センサ１０などのセンサが接続されている。そして、ＣＰＵ２０は、これらのセンサの状態に基づきつつ、ＲＯＭ２１に格納されたプログラムに従って、出力ポートに接続された、反転排紙モータ５、反転モータ４および入口フラッパソレノイド１２などの負荷を制御する。
【００３３】
また、ＣＰＵ２０に備えられたシリアルインターフェース部２３は、画像形成装置本体やフィニッシャ部５０との間において、制御データの入出力を行うためのインターフェースである。このＣＰＵ２０により、シリアルインターフェース部２３を介して、画像形成装置本体やフィニッシャ部５０から供給される制御データに基づいた、各部の制御が実行される。
【００３４】
次に、以上のように構成されたこの一実施形態によるシート反転装置の制御部による制御について、フローチャートを参照しつつ説明する。図９に、シート反転装置１のコピー開始時のシート排紙制御のフローチャートを示す。
【００３５】
すなわち、図９に示すように、このシート排紙制御ＳＴ１０１においては、まず、ステップＳＴ１０２において、プリンタなどの画像形成装置本体により画像形成、いわゆるプリントが開始されたか否かの判別が行われる。判別の結果、プリント開始がされていない場合には、プリント開始を待機する。
【００３６】
続いて、待機状態においてプリントが開始されると、ステップＳＴ１０３に移行し、画像形成装置本体から排紙が行われるか否かの判別が行われる。判別の結果、未だ排紙がさ
れていない場合、ステップＳＴ１０２に移行して、再度プリント開始の判別を行い、画像形成装置本体の緊急停止などに備える。他方、画像形成装置本体における排紙が検知され、判別の結果排紙がされた場合、ステップＳＴ１０４に移行する。
【００３７】
ステップＳＴ１０４においては、画像形成装置本体から排紙されるシートを反転する指示があるか否かが判別される。反転をする指示がされていない場合、ステップＳＴ１０５に移行して、ストレートパス制御が実行される。他方、反転をする指示がされている場合、ステップＳＴ１０６に移行して反転パス制御が実行される。
【００３８】
ここで、ストレートパス制御および反転パス制御について説明する。図１０に、ストレートパス制御の詳細な処理のフローチャートを示し、図１１および図１２に、反転パス制御の詳細な処理のフローチャートを示す。
【００３９】
すなわち、図１０に示すように、ストレートパス制御がスタート（ステップＳＴ１１１）すると、まず、ステップＳＴ１１２において、画像形成装置本体から排紙されるシートがストレートパス８（図１参照）に導かれるようにするために、入口フラッパソレノイド１２が駆動される。
【００４０】
その後、ステップＳＴ１１３において、搬入されたシートを搬送するために、反転排紙モータ５が回転される。そして、ステップＳＴ１１４に移行して、搬送されたシートが、反転排紙センサ９によって検知されるまで待機する。
【００４１】
反転排紙センサ９により、シートが検知されると、ステップＳＴ１１５に移行して、反転排紙センサ９がオフになるまで待機する。そして、反転排紙センサ９がオフになり、搬送されるシートが抜けた段階で、ステップＳＴ１１６に移行する。
【００４２】
ステップＳＴ１１６において、フラッパソレノイド１２がオフされる。そして、ストレートパス制御が終了する（ステップＳＴ１１７）。
【００４３】
他方、反転パス制御（ＳＴ１２１）においては、まず、画像形成装置本体から排紙されるシートを反転パス７に導くために、ステップＳＴ１２２において、フラッパソレノイドの駆動がオフされる。
【００４４】
その後、ステップＳＴ１２３において、反転パス７を通過するシートが検知されるまで待機する。シートが検知されると、反転モータ４の起動タイミングを計るためにステップＳＴ１２４に移行し、シートのサイズと画像形成装置本体から排紙される速度に基づいて演算された反転モータ動作待ちタイマ値がセットされる。その後、ステップＳＴ１２５に移行する。
【００４５】
ステップＳＴ１２５においては、セットされたタイマ値による時間経過を待機する。タイマ値がカウントアップされると、ステップＳＴ１２６に移行して、反転モータ４の回転速度が設定される。その後、ステップＳＴ１２７に移行して、反転モータ４の正方向駆動が開始される。これにより、シートが搬送される。続けて、ステップＳＴ１２８に移行する。
【００４６】
ステップＳＴ１２８においては、反転入口センサ１０がオフになるのを待機する。そして、反転入口センサ１０がオフ状態になり、シートの抜けた状態が検知された段階で、ステップＳＴ１２９に移行して、シートの抜けた位置から反転ポイントまで搬送するために必要な距離分のステップ数が、反転モータ４の残り動作ステップ数として設定される。
【００４７】
続けて、ステップＳＴ１３０に移行し、反転モータ４が残り動作ステップを動作終了した否かの判別が行われる。この判別の結果、反転モータ４の動作が終了した段階で、ステップＳＴ１３１に移行して、反転モータ４の正転動作時のトータルステップ数を記憶する。
【００４８】
その後、図１２に示すように、ステップＳＴ１３２に移行して、反転モータ４を逆転駆動するまでの時間をタイマとしてセットした後、ステップＳＴ１３３に移行して、タイマによる時間経過を待機する。
【００４９】
続けて、時間経過後、ステップＳＴ１３４に移行して、反転モータ４を排紙方向に動作させるための回転速度と動作ステップ数を設定して、ステップＳＴ１３５に移行する。
【００５０】
ステップＳＴ１３５において、反転モータ４の逆転動作を開始した後、ステップＳＴ１３６に移行して、反転排紙モータ５に対して、排紙方向への回転の動作を開始させる。その後、ステップＳＴ１３７に移行して、シートが反転排紙センサ９により検知された否かの監視を行う。
【００５１】
シートが反転排紙センサ９により検知された段階で、ステップＳＴ１３８に移行し、さらに、この検知されたシートが抜けたか否かが監視される。監視の結果、シートが反転排紙センサ９を抜けた段階で、反転パス制御が終了される（ステップＳＴ１３９）。
【００５２】
また、この一実施形態によるシート反転装置においては、必要に応じて、バッファリング制御が実行される。ここで、このバッファリング制御の詳細を図１３および図１４を参照しつつ説明する。図１３、図１４に、このバッファリング制御のフローチャートを示す。
【００５３】
まず、図１１に示す反転パス制御におけるステップＳＴ１２１からステップＳＴ１３３と同様の処理を行う。
【００５４】
その後、反転ポイントまで搬送された１枚目のシートを、排紙方向へ所定の速度で搬送して所定の位置に停止させるために、まず、図１３に示すステップＳＴ１６１に移行して、反転モータ４の逆回転速度およびステップ数をそれぞれ設定した後、ステップＳＴ１６２において、この設定された値に基づいて、反転モータ４の動作を開始する。続いて、ステップＳＴ１６３に移行して、反転排紙モータ５の回転速度およびステップ数でそれぞれ設定し、ステップＳＴ１６４に移行して、この反転排紙モータ５の動作を開始する。
【００５５】
その後、ステップＳＴ１６５に移行して、反転モータ４の動作が終了したか否かの判別を行う。続けて、反転モータの動作が終了した段階で、ステップＳＴ１６６に移行して、反転排紙モータ５の動作が終了したか否かの判別が行われる。反転排紙モータ５の動作が終了した後、ステップＳＴ１６７に移行して、次のシートの画像形成装置本体からの搬入を待機する。
【００５６】
次に、ステップＳＴ１６７において、次のシートの先端が検知されると、ステップＳＴ１６８に移行して、１枚目のシートと重ね合わせるために、反転排紙モータ５を起動させるタイミングを計るためのタイマがセットされる。
【００５７】
その後、図１４に示すステップＳＴ１６９に移行して、セットされたタイマに基づいた時間経過分、タイムアップを待機する。セットしたタイマに基づいた時間が経過したら、２枚目のシートを反転ポイントまで搬送する動作と同期を取るために、ステップＳＴ１７０に移行する。
【００５８】
ステップＳＴ１７０において、反転排紙モータ５の回転速度およびステップ数が設定された後、ステップＳＴ１７１に移行する。ステップＳＴ１７１においては、反転排紙モータ５が起動され、合わせ動作が行われる。
【００５９】
その後、ステップＳＴ１７２に移行して、反転排紙モータ５の動作が終了したか否かの判別が行われ、動作が終了した時点でバッファリング制御が終了する。
【００６０】
以上のようにして、制御部により制御命令信号が各部に供給され、この信号に基づいて、ストレートパス制御、反転パス制御およびバッファリング制御が実行されて、シート反転装置が動作される。
【００６１】
以上、この発明の一実施形態について具体的に説明したが、この発明は、上述の一実施形態に限定されるものではなく、この発明の技術的思想に基づく各種の変形が可能である。
【００６２】
また、本発明の一実施形態として、シート反転装置１を制御する制御部をシート反転装置１に設けた構成で説明したが、制御部を接続される画像形成装置本体またはフィニッシャ部５０に設ける構成にして直接もしくは間接的に画像形成装置本体またはフィニッシャ部５０から各種センサからの信号および制御データに基づきシート反転装置に設けられた各種ソレノイドおよび各種モータ等を制御する構成にしても良い。
【図面の簡単な説明】
【００６３】
【図１】この発明の一実施形態によるシート反転装置およびフィニッシャの構成を示す略線図である。
【図２】シート反転装置におけるバッファリング動作時のシートの動きを説明するための断面図である。
【図３】シート反転装置におけるバッファリング動作時のシートの動きを説明するための断面図である。
【図４】シート反転装置におけるバッファリング動作時のシートの動きを説明するための断面図である。
【図５】シート反転装置におけるバッファリング動作時のシートの動きを説明するための断面図である。
【図６】シート反転装置におけるバッファリング動作時のシートの動きを説明するための断面図である。
【図７】シート反転装置におけるバッファリング動作時のシートの動きを説明するための断面図である。
【図８】この発明の一実施形態によるシート反転装置の制御部を示すブロック図である。
【図９】この発明の一実施形態によるシート反転装置の排紙制御を示すフローチャートである。
【図１０】この発明の一実施形態によるシート反転装置のストレートパス制御を示すフローチャートである。
【図１１】この発明の一実施形態によるシート反転装置における反転パス制御を示すフローチャートである。
【図１２】この発明の一実施形態によるシート反転装置における反転パス制御を示すフローチャートである。
【図１３】この発明の一実施形態によるシート反転装置のバッファリング制御を示すフローチャートである。
【図１４】この発明の一実施形態によるシート反転装置のバッファリング制御を示すフローチャートである。
【符号の説明】
【００６４】
１  シート反転装置
２  反転ローラ
３  反転排紙ローラ
４  反転モータ
５  反転排紙モータ
６  フラッパ
７  反転パス
８  ストレートパス
９  反転排紙センサ
１０  反転入口センサ
１１  逆流防止フラッパ
１２  フラッパソレノイド
２０  ＣＰＵ
２１  ＲＯＭ
２２  ＲＡＭ
２３  シリアルインターフェース部
５０  フィニッシャ部
【図１】
2005335863.tif 000003
【図２】
2005335863.tif 000004
【図３】
2005335863.tif 000005
【図４】
2005335863.tif 000006
【図５】
2005335863.tif 000007
【図６】
2005335863.tif 000008
【図７】
2005335863.tif 000009
【図８】
2005335863.tif 000010
【図９】
2005335863.tif 000011
【図１０】
2005335863.tif 000012
【図１１】
2005335863.tif 000013
【図１２】
2005335863.tif 000014
【図１３】
2005335863.tif 000015
【図１４】
2005335863.tif 000016